(57)【要約】【課題】信頼性の高い光アクセスシステムを提供することを目的とする。【解決手段】光アクセスシステムは、第１の装置と、第１の２波長合分波カプラと、光ファイバと、該光ファイバから光信号を受信する第２の装置とを備えており、第１の装置は、第１の波長の光信号を送信する第１の光送信手段と、第２の波長の光信号を送信する第２の光送信手段とを備え、第１の２波長合分波カプラは、第１の装置が送信する第１の波長と第２の波長の光信号を合波した波長多重光信号を光ファイバに出力する。【選択図】図１
2008199450.tif 000002
【特許請求の範囲】
【請求項１】
第１の装置と、第１の２波長合分波カプラと、光ファイバと、該光ファイバから光信号を受信する第２の装置とを備えた光アクセスシステムであって、
第１の装置は、第１の波長の光信号を送信する第１の光送信手段と、第２の波長の光信号を送信する第２の光送信手段とを有し、
第１の２波長合分波カプラは、第１の装置が送信する第１の波長と第２の波長の光信号を合波した波長多重光信号を光ファイバに出力する、
光アクセスシステム。
【請求項２】
第１の２波長合分波カプラが光ファイバに出力した波長多重光信号を分波し、第１の波長の光信号と、第２の波長の光信号を、それぞれ、出力する第２の２波長合分波カプラを、更に、備えており、
第２の装置は、第２の２波長合分波カプラが出力する第１の波長の光信号を受信する第１の光受信手段と、第２の波長の光信号を受信する第２の光受信手段と、第１の光受信手段又は第２の光受信手段の出力信号を選択する手段と、
を備えている、
請求項１に記載の光アクセスシステム。
【請求項３】
Ｎ個、ここでＮは２以上の整数、の第１の光送信手段に対して、１個の第２の光送信手段が設けられ、
第２の光送信手段は、１：Ｍカプラ、ここでＭはＮ以上の整数、と接続し、
第１の２波長合分波カプラは、第１の光送信手段それぞれに対して設けられ、それぞれが、対応する第１の光送信手段及び１：Ｍカプラと接続している、
請求項１又は２に記載の光アクセスシステム。
【請求項４】
Ｎ個、ここでＮは２以上の整数、の第１の光送信手段に対して、１個の第２の光送信手段が設けられ、
第２の光送信手段は、第１の装置が制御する光スイッチと接続し、
第１の２波長合分波カプラは、第１の光送信手段それぞれに対して設けられ、それぞれが、対応する第１の光送信手段及び光スイッチと接続している、
請求項１又は２に記載の光アクセスシステム。
【請求項５】
第１の装置は、第１の波長の光信号又は第２の波長の光信号のいずれかのみを出力する
請求項１に記載の光アクセスシステム。
【発明の詳細な説明】
【技術分野】
【０００１】
本発明は、光送受信部の障害に対する予備を有する光アクセスシステムに関する。
【背景技術】
【０００２】
光アクセスシステムは、通信局内に設置するノード装置と、通信サービスを利用するユーザ宅内に設置する宅内装置と、ノード装置及び宅内装置を接続する光ファイバにより構成されるシステムであり、ユーザへの高速通信サービスの提供に使用されている（例えば、非特許文献１、参照。）。
【０００３】
【非特許文献１】“ブロードバンド時代のソリューション「光アクセスシステム」”、［ｏｎｌｉｎｅ］、三菱電機株式会社、［平成１８年１２月１９日検索］、インターネット＜ＵＲＬ：ｈｔｔｐ：／／ｗｗｗ．ｍｉｔｓｕｂｉｓｈｉｅｌｅｃｔｒｉｃ．ｃｏ．ｊｐ／ｃｏｒｐｏｒａｔｅ／ｒａｎｄｄ／ｉｎｆｏｒｍａｔｉｏｎ＿ｔｅｃｈｎｏｌｏｇｙ／ｃｏｍｍｕｎｉｃａｔｉｏｎ／ｃｏｍ０４．ｈｔｍｌ＞
【発明の開示】
【発明が解決しようとする課題】
【０００４】
光アクセスシステムに使用するノード装置及び宅内装置は、障害の発生率が比較的高いレーザダイオード等を含む光送信部及び光受信部を有しており、光送信部又は光受信部の障害によりサービスの中断が発生する。高速通信サービスの面的なサービス展開のため、ノード装置は保守者のいない無人局に設置する必要があるが、これら無人局にてノード装置の障害が発生した場合、又は、宅内装置の障害が発生した場合、障害箇所の交換を直ちに実行することはできず、交換までの間サービス提供が中断したままになるという問題がある。
【０００５】
したがって、本発明は、上記問題を解決し、従来よりも信頼性の高い光アクセスシステムを提供することを目的とする。
【課題を解決するための手段】
【０００６】
本発明における光アクセスシステムによれば、
第１の装置と、第１の２波長合分波カプラと、光ファイバと、該光ファイバから光信号を受信する第２の装置とを備えた光アクセスシステムであって、第１の装置は、第１の波長の光信号を送信する第１の光送信手段と、第２の波長の光信号を送信する第２の光送信手段とを有し、第１の２波長合分波カプラは、第１の装置が送信する第１の波長と第２の波長の光信号を合波した波長多重光信号を光ファイバに出力することを特徴とする。
【０００７】
本発明の光アクセスシステムにおける他の実施形態によれば、
第１の２波長合分波カプラが光ファイバに出力した波長多重光信号を分波し、第１の波長の光信号と、第２の波長の光信号を、それぞれ、出力する第２の２波長合分波カプラを、更に、備えており、第２の装置は、第２の２波長合分波カプラが出力する第１の波長の光信号を受信する第１の光受信手段と、第２の波長の光信号を受信する第２の光受信手段と、第１の光受信手段又は第２の光受信手段の出力信号を選択する手段とを備えていることも好ましい。
【０００８】
また、本発明の光アクセスシステムにおける他の実施形態によれば、
Ｎ個、ここでＮは２以上の整数、の第１の光送信手段に対して、１個の第２の光送信手段が設けられ、第２の光送信手段は、１：Ｍカプラ、ここでＭはＮ以上の整数、と接続し、第１の２波長合分波カプラは、第１の光送信手段それぞれに対して設けられ、それぞれが、対応する第１の光送信手段及び１：Ｍカプラと接続していることも好ましい。
【０００９】
更に、本発明の光アクセスシステムにおける他の実施形態によれば、
Ｎ個、ここでＮは２以上の整数、の第１の光送信手段に対して、１個の第２の光送信手段が設けられ、第２の光送信手段は、第１の装置が制御する光スイッチと接続し、第１の２波長合分波カプラは、第１の光送信手段それぞれに対して設けられ、それぞれが、対応する第１の光送信手段及び光スイッチと接続していることも好ましい。
【００１０】
更に、本発明の光アクセスシステムにおける他の実施形態によれば、
第１の装置は、第１の波長の光信号又は第２の波長の光信号のいずれかのみを出力することも好ましい。
【発明の効果】
【００１１】
挿入損失が低い、パッシブ素子の追加という簡易な構成変更で、少なくとも第１の装置側における光送信手段を予備構成とすることができる。光送信手段障害時の切替は、第２の装置が選択する手段を有する場合には、第２の２波長合分波カプラで第１の光信号と第２の光信号を分波し、両光信号を第１及び第２の光受信手段で受信した後に、選択する手段により行い、第２の装置が選択する手段を有さない場合には、第１の装置が、第１の光送信手段又は第２の光送信手段のいずれか正常なほうからのみ光信号を送信する様に制御することで行う。
【００１２】
また、第１の装置側において、第２の光送信手段に対して１：Ｍカプラを設け、第１の光送信手段それぞれに対して第１の２波長合分波カプラを設けることで、１：Ｎの切替構成を実現することができ、第１の装置側における予備確保のためのコストを抑えることができる。また、１：Ｍカプラに代えて、第１の装置が制御する光スイッチを使用することで、１：Ｍカプラの使用による損失の発生を抑え、ネットワーク設計の自由度を確保することができる。
【発明を実施するための最良の形態】
【００１３】
本発明を実施するための最良の実施形態について、以下では図面を用いて詳細に説明する。
【００１４】
図１は、本発明の第１実施形態のシステム構成図であり、本発明によるシステムは、参照符号１で示すノード装置と、参照符号２で示す宅内装置を備えている。ノード装置１と宅内装置２は１対のアクセス光ファイバにて接続されている。
【００１５】
ノード装置１は、光送信部３１及び光受信部４１で構成される１対の光送受信部と、光送信部３２及び光受信部４２で構成される１対の光送受信部を備えている。ここで、光送信部３１は、波長１．３μｍの光信号を送信し、光送信部３２は、波長１．５μｍの光信号を送信する。本実施形態においては、光送信部３１及び光受信部４１で構成される１対の光送受信部と、光送信部３２及び光受信部４２で構成される１対の光送受信部を相互に障害時の予備として利用する。一般的には、１つのインタフェースカードに複数の光送受信部が実装され、ノード装置１は複数のインタフェースカードを実装できる様に構成されているが、相互に障害時の予備として使用する光送受信部の対は、障害時のインタフェースカードの交換を考慮して異なるインタフェースカードから選択することが望ましい。しかしながら、カード交換に伴う短期のサービス中断を許容できる場合においては、同一インタフェースカードであっても良い。
【００１６】
光送信部３１及び３２と、光受信部４１及び４２は切替部１１と接続している。本実施形態においては、１＋１の切替構成であるため、切替部１１は、宅内装置２に送信する信号を２分岐して光送信部３１及び３２に送信し、光受信部４１及び４２から受信する信号のうち１つを選択して、宅内装置２とは逆側、つまり図示しない通信網側に送信する信号とする。しかしながら、切替部１１は現用として使用している方の光送信部にのみ信号を送信し、後述する切替シーケンスにおいて現用系の障害を検出したときに他方の光送信部に信号を切り替える構成であっても良い。
【００１７】
宅内装置２は、ノード装置１と同様、光送信部３３及び光受信部４３で構成される１対の光送受信部と、光送信部３４及び光受信部４４で構成される１対の光送受信部とを備えており、これらを、相互に障害時の予備として利用する。なお、光送信部３３は、波長１．３μｍの光信号を送信し、光送信部３４は、波長１．５μｍの光信号を送信する。また、ノード装置１の切替部１１と同じく、少なくとも現用系である光送信部に信号を送信し、現用系である光受信部からの信号を選択する切替部２１を有している。
【００１８】
更に、図１において参照符号５１から５４は、１．３μｍ／１．５μｍ合分波カプラとも呼ばれる２波長合分波カプラであり、２波長合分波カプラは、波長に係らず２波の合分波を行う１：２カプラと比較して、合波又は分波による損失が小さいという特徴がある。図１によると、通信局側に設置される２波長合分波カプラ５１は、光送信部３１及び光送信部３２と接続され、同じく通信局側に設置される２波長合分波カプラ５２は、光受信部４１及び光受信部４２と接続され、ユーザ宅側に設置される２波長合分波カプラ５４は、光送信部３３及び光送信部３４と接続され、同じくユーザ宅側に設置される２波長合分波カプラ５３は、光受信部４３及び光受信部４４と接続されている。更に、通信局とユーザ宅を結ぶ１対のアクセス光ファイバにより、２波長合分波カプラ５１と５３が接続され、２波長合分波カプラ５２と５４が接続されている。
【００１９】
図１の構成における信号の流れについて説明する。光送信部３１が送信する波長１．３μｍの光信号と、光送信部３２が送信する波長１．５μｍの光信号は、２波長合分波カプラ５１で合波され、アクセス光ファイバに送信される。波長多重された光信号は、２波長合分波カプラ５３で分波され、波長１．３μｍの光信号は光受信部４３に、波長１．５μｍの光信号は光受信部４４にそれぞれ送信される。切替部２１は、光受信部４３又は光受信部４４が受信した信号のいずれかを選択して、ノード装置１と逆側、つまり図示しない端末装置側に送信する信号とする。同様に、光送信部３３が送信する波長１．３μｍの光信号と、光送信部３４が送信する波長１．５μｍの光信号は、２波長合分波カプラ５４で合波され、アクセス光ファイバに送信され、波長多重された光信号は、２波長合分波カプラ５２で分波され、波長１．３μｍの光信号は光受信部４１に、波長１．５μｍの光信号は光受信部４２にそれぞれ送信される。そして、切替部１１は、光受信部４１又は光受信部４２が受信した信号のいずれかを選択して通信網側に送信する信号とする。
【００２０】
図２は、本実施形態における障害発生時の切替シーケンス図である。上述した様に、通常時、光送信部３１が送信する波長１．３μｍの光信号は光受信部４３が受信し、光送信部３３が送信する波長１．３μｍの光信号は光受信部４１が受信し、光送信部３２が送信する波長１．５μｍの光信号は光受信部４４が受信し、光送信部３４が送信する波長１．５μｍの光信号は光受信部４２が受信している。なお、切替部１１及び２１は、波長１．３μｍの光信号を選択しているものとする。
【００２１】
宅内装置２は、光受信部４３が受信する光信号レベルより、対向するノード装置１の光送信部３１に発生した障害を検出した場合、光送信部３４が送信する光信号を利用してノード装置１に障害検出を通知する。これによりノード装置１及び宅内装置２は共に障害の発生を認識し、切替部１１及び切替部２１は、それぞれ、１．５μｍの光信号を使用するように信号の切替を行う。本実施形態においては、ノード装置１と宅内装置２の構成は対称であり、宅内装置２の光送信部３３にて障害が発生した場合も同様のシーケンスとなる。
【００２２】
なお、宅内装置２が光送信部３４により障害通知を行うのは、光送信部３１の障害時に光受信部４１も障害状態となっている可能性が高いためであるが、光送信部３３により障害通知を行っても良い。また、１対の送受信を単位として切替えるのは、切替系の状態に関して混乱を生じさせないためであるが、送受独立して切替を実施しても良い。更に、送受独立して切替を行い、切替部１１及び２１にて送信する信号が常時２分岐されている場合には対向装置への障害通知を省略し、障害を検出した側が切替部による信号切替を行うのみでも良い。
【００２３】
本実施形態においては、低損失な２波長合分波カプラを使用することで、切替構成に伴う損失を抑え、よって、ネットワーク設計の自由度を高め、パッシブ素子の追加といった簡易な構成で障害に対する救済を実現している。本発明によるシステムでは、光送受信部に障害が発生したとしても、従来技術による構成と異なり、サービスの継続した提供が可能となる。
【００２４】
図３は、本発明の第２実施形態のシステム構成図である。本実施形態は、ノード装置１側を１：Ｎ（Ｎは２以上の整数）の切替構成とするものであり、図３においては、１：２の実施形態を示している。ここで、ノード装置１の送信部３２及び光受信部４２で構成される光送受信部は、通常時、予備として使用され、送信部３１及び光受信部４１で構成される光送受信部は、通常時、それぞれ、現用として使用される。また、図３において参照符号６１及び６２は、１：Ｎの切替構成に対して、Ｎ以上の光信号に対する合分波を行う１：Ｍ（ＭはＮ以上の整数）カップラ、図３においては１：２カップラである。なお、１：Ｍカプラで発生する損失によりネットワーク設計の自由度が制限されるため、ＭはＮに等しいことが望ましく、かつ、Ｎは４以下が望ましい。
【００２５】
本実施形態において、２波長合分波カプラ５１は光送信部３１ごとに設けられ、２波長合分波カプラ５１の１．３μｍ用のポートは、対応する光送信部３１に、２波長合分波カプラ５１の１．５μｍ用のポートは、１：Ｍカプラ６２の分岐側のポートに、２波長合分波カプラ５１の多重側のポートは、対応する宅内装置２へのアクセス光ファイバに接続している。同様に、２波長合分波カプラ５２は光受信部４１ごとに設けられ、２波長合分波カプラ５２の１．３μｍ用のポートは、対応する光受信部４１に、２波長合分波カプラ５２の１．５μｍ用のポートは、１：Ｍカプラ６１の分岐側のポートに、２波長合分波カプラ５２の多重側のポートは、対応する宅内装置２からのアクセス光ファイバに接続している。
【００２６】
図３の構成における信号の流れについて説明する。光送信部３２が送信する波長１．５μｍの光信号は、まず、１：Ｍカップラ６２で分岐され、分岐された光信号はそれぞれ２波長合分波カプラ５１に入力される。２波長合分波カプラ５１は、接続している光送信部３１からの波長１．３μｍの光信号と、１：Ｍカップラ６２からの波長１．５μｍの光信号とを合波し、波長多重する。波長多重された光信号は、２波長合分波カプラ５３で分波され、波長１．３μｍの光信号は光受信部４３に、波長１．５μｍの光信号は光受信部４４にそれぞれ送信される。切替部２１は、通常時、光受信部４３が受信した信号を選択して端末装置側に送信する信号とする。また、通常時、宅内装置２の光送信部３４は、光信号を送信せず、光送信部３３のみが光信号の送信を行う。光送信部３３が送信する波長１．３μｍの光信号は、２波長合分波カプラ５４及び５２を経由して光受信部４１で受信され、切替部１１は、光受信部４１が受信する信号を、通信網側に送信する信号として利用する。宅内装置２の光送信部３４は、通常時、光信号の送信を行わないため、２波長合分波カプラ５２から、波長１．５μｍの光信号は出力されず、光受信部４２は光信号を受信しない。
【００２７】
図４は、本実施形態における障害発生時の切替シーケンス図である。上述した様に、通常時、光送信部３１が送信する波長１．３μｍの光信号は光受信部４３が受信し、光送信部３３が送信する波長１．３μｍの光信号は光受信部４１が受信し、光送信部３２が送信する波長１．５μｍの光信号は、切替系内にある全宅内装置２の光受信部４４が受信し、切替系内にある全宅内装置２の光送信部３４は光信号を送信しない。
【００２８】
宅内装置２は、光受信部４３が受信する光信号レベルより、対向するノード装置１の光送信部３１に発生した障害を検出した場合、光送信部３４による光信号の送信を開始し、波長１．５μｍの光信号を利用してノード装置１に障害の通知と、自身の識別子を通知する。この障害通知は、ノード装置１の光受信部４２で受信され、障害発生を認識したノード装置１は、光送信部４２が送信する波長１．５μｍの光信号を利用して障害発生及び予備を使用している宅内装置２の識別子を切替系内の全宅内装置２に報知する。この報知により切替系内の全宅内装置２は、予備系が使用されることを認識し、以後、他の宅内装置２は、他の障害を検出したとしても光送信部３４からの光信号の送信を開始しない。これにより、既に予備系を使用して行っている通信を妨害することを防ぐことができる。また、ノード装置１は、障害を検出した宅内装置２との送受信信号を、光送信部３２及び光受信部４２を経由する様に切替部１１にて信号切替を行う。更に、ノード装置１から自装置の識別子を含む障害発生の報知信号を受信したノード装置２は、ノード装置１との送受信信号を、光送信部３４及び光受信部４４を経由する様に切替部２１にて信号切替を行う。
【００２９】
また、宅内装置２の光送信部３３で障害が発生した場合、この障害を検出するノード装置１は、光送信部３２が送信する波長１．５μｍの光信号を利用して障害発生及び予備を使用すべき宅内装置２の識別子を切替系内の全宅内装置２に報知し、これをトリガに、障害が発生した宅内装置２の光送信部３４は、光信号の送信を開始し、切替部１１及び切替部２１は、１．５μｍの光信号が現用となる様に信号の切替を行う。
【００３０】
なお、１対の送受を単位として切り替える場合を例にして説明を行ったが、第１実施形態と同様、送受を独立して切り替えても良い。この場合、宅内装置２により検出された障害は、光送信部３３によりノード装置１に通知され、切替部１１は、この宅内装置２への送信信号が光送信部３２を経由する様に信号を制御し、障害を検出した宅内装置２の切替部２１は、光受信部４４から受信した信号を端末装置に送信する信号とする様に切替部２１を制御する。また、ノード装置１により検出された障害は、光送信部３１により宅内装置２に通知される、障害が発生した宅内装置２の光送信部３４は、光信号の送信を開始する。更に、切替部１１と、障害が発生した宅内装置２の切替部２１は、光送信部３４と光受信部４２が現用となる様に、信号の切替制御を行う。なお、ノード装置１がある宅内装置２からの受信信号を光受信部４２から受信するように切り替えている場合において、他の宅内装置２からの障害を検出した場合には、他の宅内装置２からの受信信号の救済はできないため、光送信部３１による他の宅内装置２への障害通知は行わない。
【００３１】
本実施形態においては、予備として必要なノード装置１側の光送信部及び受信部の数を抑えることができ、低コストでの切替系を実現できる。なお、１：Ｍカップラの使用によりこの部分において光信号電力レベルが１／Ｍとなるが、予備側に損失の小さい波長１．５μｍの光信号を利用することで、１：Ｍカップラの使用によるネットワーク設計の自由度の制限を抑えている。
【００３２】
図５は、本発明の第３実施形態のシステム構成図である。本実施形態は、第２実施形態での１：Ｍカップラ６１及び６２を、光スイッチ７１及び７２に変更したものであり、第２実施形態と同様、１：Ｎの切替を実現する。第２実施形態においては、１：Ｍカップラを使用するため、通常時、宅内装置２は、光送信部３４からの光信号の送信を止めなければならないが、本実施形態においては、光スイッチ７１にて複数の波長１．５μｍの光信号から１つを選択して光受信部４２に送信するため宅内装置２における光送信部３４の光信号の送信制御は不要となる。また、光スイッチは、１：Ｍカップラより挿入損失が低く、ネットワーク設計の自由度を確保したまま、ノード装置１に必要な光送受信部の数を抑えた切替系を構成することができる。
【００３３】
図６は、本実施形態における障害発生時の切替シーケンス図である。宅内装置２は、光受信部４３が受信する光信号レベルより、対向するノード装置１の光送信部３１に発生した障害を検出した場合、光送信部３３により、ノード装置１に障害を通知する。障害発生を認識したノード装置１は、光スイッチ７１については、障害を検出した宅内装置２に接続している２波長合分波カプラ５２からの信号を選択するように、光スイッチ７２については、障害を検出した宅内装置２に接続している２波長合分波カプラ５１へ信号を出力する様に、光スイッチ７１及び７２を制御し、障害を検出した宅内装置２との送受信信号を、光送信部３２及び光受信部４２を経由する様に、切替部１１での信号切替を行う。また、光送信部３２により障害を検出した宅内装置２へ、当該宅内装置２の識別子を含む切替通知を行う。障害を検出した宅内装置２は、光受信部４４にて自装置の識別子を含む切替通知を受信した場合、ノード装置１との送受信信号を、光送信部３４及び光受信部４４を経由するように切替部２１での信号切替を行う。
【００３４】
また、宅内装置２の光送信部３３で障害が発生した場合、この障害を検出したノード装置１は、障害が発生した宅内装置２に接続している２波長合分波カプラ５２からの信号を選択するように光スイッチ７１を、障害が発生した宅内装置２に接続している２波長合分波カプラ５１へ信号を出力する様に光スイッチ７２を、それぞれ制御し、障害が発生した宅内装置２との送受信信号を、光送信部３２及び光受信部４２を経由する様に、切替部１１での信号切替を行う。また、光送信部３２により障害を検出した宅内装置２へ、当該宅内装置２の識別子を含む切替通知を行う。更に、障害が発生した宅内装置２は、光受信部４４にて、自装置の識別子を含む切替通知を受信した場合、ノード装置１との送受信信号を、光送信部３４及び光受信部４４を経由するように切替部２１での信号切替を行う。
【００３５】
なお、１対の送受を単位として切り替える場合を例にして説明を行ったが、第１実施形態と同様、送受を独立して切り替えても良い。この場合、宅内装置２により検出された障害は、光送信部３３によりノード装置１に通知され、ノード装置１は、光送信部３２経由でこの宅内装置２へ送信信号が到達する様に、切替部１１及び光スイッチ７２を制御し、障害を検出した宅内装置２は、光受信部４４から受信した信号を端末装置に送信する信号とする様に切替部２１の制御を行う。また、ノード装置１により検出された障害は、光送信部３１により宅内装置２の識別子に通知され、ノード装置１は、光受信部４２経由でこの宅内装置２からの信号を受信できる様に、切替部１１及び光スイッチ７１を制御し、障害が発生した宅内装置２は、光送信部３４からノード装置１への信号が出力される様に切替部２１を制御する。
【００３６】
図７は、本発明の更なる実施形態を示す図である。図７（ａ）は、第１実施形態における２波長合分波カプラ５３を取り除いたものである。このため、通常時、ノード装置１は、光送信部３１又は３２の一方のみから光信号の送信を行い、宅内装置２から障害検出通知を受信した場合に、他方の光送信部による光信号の送信を開始する。本実施形態は、宅内装置２については、比較的障害の発生しやすい光送信部のみ予備を持たせる構成であり、宅内装置２の切替部２１は、送信信号を単に２分岐するのみで、受信信号に対する切替制御は不要となり、宅内装置２を簡易なものとすることができ、そのコストを抑えることができる。
【００３７】
図７（ｂ）は、宅内装置２が予備を持たない構成である。本実施形態においては、サービス提供側が、宅内装置２を設置するのではなく、ユーザが設置する場合等においても、少なくとも局側設備の障害によるサービス提供の中断を回避することができる。本実施形態においては、ノード装置１の送信側の構成及び切替方法は図７（ａ）に示す構成と同じである。一方、宅内装置２は、波長１．３μｍ又は１．５μｍの光送信部３を１つ備えており、宅内装置２が送信する光信号は、局側に設置される１：２カプラ６３により２分岐され、切替部１１は、光受信部４１及び４２がそれぞれ受信する信号のうち、正常である方の信号を選択する。本実施形態においては、切替時におけるノード装置１及び宅内装置２間での障害通知は不要である。
【図面の簡単な説明】
【００３８】
【図１】本発明による光アクセスシステムの第１実施形態のシステム構成図である。
【図２】第１実施形態の切替シーケンス図である。
【図３】本発明による光アクセスシステムの第２実施形態のシステム構成図である。
【図４】第２実施形態の切替シーケンス図である。
【図５】本発明による光アクセスシステムの第３実施形態のシステム構成図である。
【図６】第３実施形態の切替シーケンス図である。
【図７】本発明による光アクセスシステムの他の実施形態のシステム構成図である。
【符号の説明】
【００３９】
１  ノード装置
２  宅内装置
１１、２１  切替部
３、３１、３２、３３、３４  光送信部
４１、４２、４３、４４  光受信部
５１、５２、５３、５４  ２波長合分波カプラ
６１、６２  １：Ｍカプラ
６３  １：２カプラ
７１、７２  光スイッチ
【図１】
2008199450.tif 000003
【図２】
2008199450.tif 000004
【図３】
2008199450.tif 000005
【図４】
2008199450.tif 000006
【図５】
2008199450.tif 000007
【図６】
2008199450.tif 000008
【図７】
2008199450.tif 000009